(57)【要約】【課題】品質の安定した写真を反復的に撮影することが可能な撮影方法及び撮影システムを提供する。【解決手段】撮影方法は、被写体２００及び被写体２００の奥側に配置された背景７０をカメラ１１で撮影する撮影方法であって、被写体２００の一側面部に光を照射するメインライト２０と、メインライト２０よりも光量が少なく被写体２００の上部に向けて光を照射するトップライト３０と、メインライト２０よりも光量が少なく背景７０に向けて光を照射するバックライト４０と、メインライト２０から発せれられた光を被写体２００の他側面部及び前面部に向けてそれぞれ反射する第一レフ板５０及び第二レフ板６０とを用いて、被写体２００の各照射場所で照度が異なる。【選択図】図１
2019139119.tif 000002
【特許請求の範囲】
【請求項１】
被写体及び前記被写体の奥側に配置された背景をカメラで撮影する撮影方法であって、
前記被写体の一側面部に光を照射するメインライトと、
前記メインライトよりも光量が少なく前記被写体の上部に向けて光を照射するトップライトと、
前記メインライトよりも光量が少なく前記背景に向けて光を照射するバックライトと、
前記メインライトから発せれられた光を前記被写体の他側面部及び前面部に向けてそれぞれ反射する第一レフ板及び第二レフ板とを用いて、
前記被写体の各照射場所で照度が異なる
ことを特徴とする撮影方法。
【請求項２】
前記メインライトは、前記カメラの撮影位置に対して前記被写体を挟んで斜め奥側の位置であって、前記撮影位置を向く方向に配置され、
前記トップライトは、前記被写体の斜め上方の位置であり、前記撮影位置と前記被写体とを結ぶ中心線を挟んで、前記メインライトに対して反対側の位置に配置され、
前記バックライトは、前記撮影位置に対して前記メインライトよりも奥側で、且つ背景の手前側の位置であって、前記中心線と背景とが交差する位置を向く方向に配置され、
前記第一レフ板は、前記被写体に対して前記メインライトとの反対側の位置であり、
前記第一レフ板と前記被写体との間の長さと、前記メインライトと前記被写体との間の長さとが略同程度となる位置であって、前記メインライトからの光を反射した反射光を前記被写体に照射する向きに配置され、
前記第二レフ板は、前記メインライトから前記撮影位置へ照射される直接光を遮る位置であって、前記メインライトからの光を反射した反射光を前記被写体に照射する向きに配置される、
請求項１に記載の撮影方法。
【請求項３】
前記メインライトは、前記メインライトから光が出射される出射部の幅が前記被写体の幅よりも大きい面光源であり、
前記メインライトを、前記メインライトと前記被写体との間の長さが、前記出射部の幅の長さよりも小さくなるよう配置する、
請求項１又は２に記載の撮影方法。
【請求項４】
前記メインライトは、ディフューザーを有し、
前記メインライトからの光が、前記ディフューザーを介して照射される拡散光である、
請求項１〜３のいずれか１項に記載の撮影方法。
【請求項５】
前記トップライトは、前記被写体の上方に光を向けるバーンドアを有する、
請求項１〜４のいずれか１項に記載の撮影方法。
【請求項６】
前記バックライトは、前記背景に光を向けるバーンドアを有する、
請求項１〜５のいずれか１項に記載の撮影方法。
【請求項７】
前記被写体が人であって、
前記人の胴体が、前記メインライトに向いており、
前記人の頭部が、前記第二レフ板に向いており、
前記メインライトが、前記頭部の斜め前方且つ上方から光を照射して、レンブラントライティングになるように配置される、
請求項１〜６のいずれか１項に記載の撮影方法。
【請求項８】
被写体及び前記被写体の奥側に配置された背景をカメラで撮影する撮影システムであって、
前記被写体の一側面部に光を照射するメインライトと、
前記メインライトよりも光量が少なく前記被写体の上部に向けて光を照射するトップライトと、
前記メインライトよりも光量が少なく前記背景に向けて光を照射するバックライトと、
前記メインライトから発せれられた光を前記被写体の他側面部及び前面部に向けてそれぞれ反射する第一レフ板及び第二レフ板とを備え、
前記被写体の各照射場所で照度が異なり、
前記メインライトは、前記カメラの撮影位置に対して前記被写体を挟んで斜め奥側の位置であって、前記撮影位置を向く方向に配置され、
前記トップライトは、前記被写体の斜め上方の位置であり、前記撮影位置と前記被写体とを結ぶ中心線を挟んで、前記メインライトに対して反対側の位置に配置され、
前記バックライトは、前記撮影位置に対して前記メインライトよりも奥側で、且つ背景の手前側の位置であって、前記中心線と背景とが交差する位置を向く方向に配置され、
前記第一レフ板は、前記被写体に対して前記メインライトとの反対側の位置であり、
前記第一レフ板と前記被写体との間の長さと、前記メインライトと前記被写体との間の長さとが略同程度となる位置であって、前記メインライトからの光を反射した反射光を前記被写体に照射する向きに配置され、
前記第二レフ板は、前記メインライトから前記撮影位置へ照射される直接光を遮る位置であって、前記メインライトからの光を反射した反射光を前記被写体に照射する向きに配置される
ことを特徴とする撮影システム。
【発明の詳細な説明】
【技術分野】
【０００１】
本発明は、被写体を撮影する撮影方法、及び撮影システムに関するものである。
【背景技術】
【０００２】
写真技術の起こりに伴い、肖像画に代わるものとして、人物を被写体とする人物写真の撮影が行われている。人物写真は、個人や家庭、友人による撮影や、自分自身による撮影が行われることもあるが、写真スタジオ（写真館）においてカメラマンによる撮影も行われている。写真スタジオでは写真を撮る際に光源を利用して、被写体を照らしながらの撮影が行われている。被写体と光源との関係によって、撮影された写真に含まれる被写体がこれを見る者に与える印象は大きく異なるものとなる。このため、ライティングの方法論が各種考案され、撮影に活用されている（特許文献１参照）。
【先行技術文献】
【特許文献】
【０００３】
【特許文献１】特開２００６−２２７３１３号公報
【発明の概要】
【発明が解決しようとする課題】
【０００４】
ライティングによって写真撮影の表現の幅が広がったものの、写真を撮影する際のライティングは、経験論や感覚論といった個人の技能に基づいて行われることがある。この場合、例えば写真スタジオでカメラマンが写真を撮影する場合であっても、撮影者によって写真の出来栄えが変わってしまうことがある。また、例えば同じ撮影者であっても、撮影場所や撮影機材が変わると、写真の出来栄えが変わってしまうことがある。このため、同程度の品質の写真を反復的に撮影することのできる撮影技術が求められている。
【０００５】
本発明は、上記のような課題に鑑みなされたもので、本発明の目的の一つは、品質の安定した写真を反復的に撮影することが可能な撮影方法及び撮影システムを提供することである。なお、この目的に限らず、後述する発明を実施するための形態に示す各構成により導かれる作用効果であって、従来の技術によっては得られない作用効果を奏することも本発明の他の目的として位置づけることができる。
【課題を解決するための手段】
【０００６】
［１］ここで開示する撮影方法は、被写体及び前記被写体の奥側に配置された背景をカメラで撮影する撮影方法であって、前記被写体の一側面部に光を照射するメインライトと、前記メインライトよりも光量が少なく前記被写体の上部に向けて光を照射するトップライトと、前記メインライトよりも光量が少なく前記背景に向けて光を照射するバックライトと、前記メインライトから発せれられた光を前記被写体の他側面部及び前面部に向けてそれぞれ反射する第一レフ板及び第二レフ板とを用いて、前記被写体の各照射場所で照度が異なる。
【０００７】
［２］このとき、前記メインライトは、前記カメラの撮影位置に対して前記被写体を挟んで斜め奥側の位置であって、前記撮影位置を向く方向に配置され、前記トップライトは、前記被写体の斜め上方の位置であり、前記撮影位置と前記被写体とを結ぶ中心線を挟んで、前記メインライトに対して反対側の位置に配置され、前記バックライトは、前記撮影位置に対して前記メインライトよりも奥側で、且つ背景の手前側の位置であって、前記中心線と背景とが交差する位置を向く方向に配置され、前記第一レフ板は、前記被写体に対して前記メインライトとの反対側の位置であり、記第一レフ板と前記被写体との間の長さと、前記メインライトと前記被写体との間の長さとが略同程度となる位置であって、前記メインライトからの光を反射した反射光を前記被写体に照射する向きに配置され、前記第二レフ板は、前記メインライトから前記撮影位置へ照射される直接光を遮る位置であって、前記メインライトからの光を反射した反射光を前記被写体に照射する向きに配置されることが好ましい。
【０００８】
［３］また、前記メインライトは、前記メインライトから光が出射される出射部の幅が前記被写体の幅よりも大きい面光源であり、前記メインライトを、前記メインライトと前記被写体との間の長さが、前記出射部の幅の長さよりも小さくなるよう配置することが好ましい。
［４］また、前記メインライトは、ディフューザーを有し、前記メインライトからの光が、前記ディフューザーを介して照射される拡散光であることが好ましい。
［５］さらに、前記トップライトは、前記被写体の上方に光を向けるバーンドアを有することが好ましい。
［６］また、前記バックライトは、前記背景に光を向けるバーンドアを有することが好ましい。
［７］さらに、前記被写体が人であって、前記人の胴体が、前記メインライトに向いており、前記人の頭部が、前記第二レフ板に向いており、前記メインライトが、前記頭部の斜め前方且つ上方から光を照射して、レンブラントライティングになるように配置されることが好ましい。
【０００９】
［８］ここで開示する撮影システムは、被写体及び前記被写体の奥側に配置された背景をカメラで撮影する撮影システムであって、前記被写体の一側面部に光を照射するメインライトと、前記メインライトよりも光量が少なく前記被写体の上部に向けて光を照射するトップライトと、前記メインライトよりも光量が少なく前記背景に向けて光を照射するバックライトと、前記メインライトから発せれられた光を前記被写体の他側面部及び前面部に向けてそれぞれ反射する第一レフ板及び第二レフ板とを備え、前記被写体の各照射場所で照度が異なり、前記メインライトは、前記カメラの撮影位置に対して前記被写体を挟んで斜め奥側の位置であって、前記撮影位置を向く方向に配置され、前記トップライトは、前記被写体の斜め上方の位置であり、前記撮影位置と前記被写体とを結ぶ中心線を挟んで、前記メインライトに対して反対側の位置に配置され、前記バックライトは、前記撮影位置に対して前記メインライトよりも奥側で、且つ背景の手前側の位置であって、前記中心線と背景とが交差する位置を向く方向に配置され、前記第一レフ板は、前記被写体に対して前記メインライトとの反対側の位置であり、前記第一レフ板と前記被写体との間の長さと、前記メインライトと前記被写体との間の長さとが略同程度となる位置であって、前記メインライトからの光を反射した反射光を前記被写体に照射する向きに配置され、前記第二レフ板は、前記メインライトから前記撮影位置へ照射される直接光を遮る位置であって、前記メインライトからの光を反射した反射光を前記被写体に照射する向きに配置される。
【発明の効果】
【００１０】
本発明によれば、品質の安定した写真を反復的に撮影することが可能な撮影方法及び撮影システムを提供することができる。
【図面の簡単な説明】
【００１１】
【図１】実施形態に関する撮影システムを説明するための平面図である。
【図２】実施形態に関する撮影方法の一例を示すフローチャートである。
【図３】実施形態に関する撮影方法で撮影した写真の一例を示す画像である。
【発明を実施するための形態】
【００１２】
以下、図面を参照して本発明の実施の形態について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１３】
実施形態で述べる撮影方法及び撮影システムは、被写体及び背景をカメラで撮影するものである。撮影対象となる被写体は特に限定されないが、主に写真スタジオにおいて撮影が行われる被写体に対して好適に用いられる。被写体としては、例えば、人（人物）、動物、植物、食べ物、家具、服装、装飾品、人形等が挙げられる。これらの被写体は、１種を単独で撮影してもよく、２種以上を組み合わせて撮影してもよい。被写体の中でも人が好ましく、着物を着た人物がより好ましい。さらには着物を着た人物が、カメラに対して、身体を背中と片側の肩を向けるとともに、顔面を斜め方向に向けるようにしたポーズで撮影を行う姿勢（ポーズ）をとっている状態に特に好適に用いられる。なお、この姿勢は「帯見せポーズ」とも称される。以下の実施形態では、被写体として、着物を着た女性を例示する。また、女性が着座した状態で帯見せポーズをとっている場合を例示する。
【００１４】
本実施形態では、被写体について、カメラと対向する側を前面側とする。また、カメラに対して前面側との反対側を背面側又は奥側と称する。また、前面側と背面側との間の範囲であって、カメラに対して両横側を側面側と称する。また、重力の作用方向を下方とし、その反対方向を上方と称する。
【００１５】
本明細書において、撮影システムにおける各構成要素の長さ及び各構成間の長さについては、長さが略同程度と表現する場合に、長さが同一なことだけでなく、ほぼ同程度の長さであることも含むものとする。具体的には、基準となる長さに対して、上下２０％以下の長さの範囲に含まれる長さについても、略同程度の長さであるとする。
【００１６】
［１．構成］
図１を参照して、撮影システム１００の構成を説明する。
撮影システム１００は、メインライト２０と、トップライト３０と、バックライト４０と、第一レフ板５０と、第二レフ板６０とを備えている。また、撮影システム１００は、カメラ１１と、背景７０とを備えている。本実施形態の撮影方法は、この撮影システム１００を用いて、被写体である人物２００と、背景７０とをカメラ１１で撮影する撮影方法である。
まず、撮影システム１００の各構成要素について説明する。
【００１７】
＜カメラ＞
カメラ１１は、人物２００及び背景７０を撮影する写真機である。本実施形態では、例えば、撮像素子としてＣＣＤ（Charge-Coupled Device；電荷結合素子）又はＣＭＯＳ（Complementary Metal-oxide Semiconductor；相補型金属酸化膜半導体）を用いたイメージセンサを有する撮影光学系を備え、撮影により画像データを取得するデジタルカメラを例示する。なお、カメラ１１としては、フィルムに露光して撮影を行う、銀塩フィルムカメラを用いてもよい。
【００１８】
カメラ１１は、カメラ１１を配置する撮影位置１０において撮影が行われる。カメラ１１は、撮影位置１０に位置する撮影者がカメラ１１を保持した状態で撮影してもよい。または、三脚、クレーン等にカメラ１１を固定して、カメラ１１を撮影位置１０に配置した状態で撮影してもよい。撮影者による手振れを防ぐ観点からは、カメラ１１を固定した状態で撮影を行うことが好ましい。
【００１９】
＜メインライト＞
メインライト２０は、人物２００の側面部に光を照射する投光器である。撮影システム１００は、メインライト２０の他に投光器として、トップライト３０及びバックライト４０を備えている。メインライト２０は、これら他のトップライト３０及びバックライト４０よりも光量が多い、言い換えれば、撮影システム１００の中で最も光量の多い投光器である。
【００２０】
メインライト２０は、光を発する光源２１を有している。メインライト２０は、光源２１として、定常的に発光する定常光発光ユニットと、瞬間的に定常光発光ユニットよりも強い光を発する瞬間光発光ユニットとを有している。そして、撮影者によるカメラ１１のシャッター動作に併せて瞬間光発光ユニットを動作させることで、撮影の瞬間に瞬間光発光ユニットを発光させるように制御される。定常光発光ユニットとしては、例えば、蛍光灯、水銀灯、白熱電球、ＬＥＤ（Light Emitting Diode：発光ダイオード）等が挙げられる。瞬間光発光ユニットとしては、例えば、ストロボ（エレクトロニックフラッシュ）が挙げられる。
【００２１】
メインライト２０は、ライトボックス２２を有し、ライトボックス２２の内部に光源２１が設けられている。ライトボックス２２は、複数の骨組みが略半球状又は略球冠状に組み合わされて、骨組みの間を遮光シートで覆われた傘状の構造物である。ライトボックス２２は、略半球状又は略球冠状に展開された骨組みの先端部によって囲まれるとともに、遮光シートで覆われてない一面を有し、この一面が、光源２１からの光が出射される出射部２３となっている。本実施形態のライトボックス２２は、８本の骨組みを有し、正八角形状の出射部２３を有するオクタボックスである。
【００２２】
メインライト２０は、出射部２３に格子状のグリッド（図示略）を有していてもよく、有していなくともよい。グリッドは、光源２１と被写体との間の光の通過経路に設けられて、光の指向性を高める撮影器具である。被写体の明暗のコントラストを強める観点からは、グリッドを有していることが好ましい。一方、被写体が人物２００であって、光を回らせて柔らかい光を人物２００にあてる観点からは、グリッドを有さないことが好ましい。すなわち、グリッドレスであることが好ましい。本実施形態では、メインライト２０がグリッドを有していない場合を例示する。
【００２３】
メインライト２０は、出射部２３にディフューザー２４を有している。ディフューザー２４は、光源２１と被写体との間の光の通過経路に設けられて、ディフューザー２４を通過する光源２１からの光を拡散させることによって、拡散光を被写体に照射する撮影器具であり、点光源に比して被写体に明瞭な影を生じにくくするものである。メインライト２０からの光は、ディフューザー２４を介して照射される拡散光となっている。ディフューザー２４としては、例えば、布、紙、樹脂フィルム等を用いた光拡散フィルム、又はすりガラス、合成樹脂板等を用いた乳白色や梨地状の光拡散板等が挙げられる。
【００２４】
＜トップライト＞
トップライト３０は、人物２００の上部に向けて光を照射する投光器である。上述の通り、トップライト３０は、メインライト２０よりも光量が少ないものとなっている。トップライト３０は、メインライト２０と同様に定常光発光ユニットと瞬間光発光ユニットとを有する光源３１を有している。そして、トップライト３０は、撮影者によるカメラ１１のシャッター動作に併せて、メインライト２０と同時に発光するように制御される。
【００２５】
トップライト３０は、シェード３２を有し、シェード３２の内部に光源３１が設けられている。シェード３２は、光源３１を囲む半球状、柱状、又は箱状の遮光部材であって、一端面に光源３１からの光が出射される開口部３３が設けられている。トップライト３０は、開口部３３を通じて、光源３１からの光を出射する。
【００２６】
トップライト３０は、開口部３３の周囲にバーンドア３４を有している。バーンドア３４は、開口部３３から出射される光が周辺に広がるのを遮って、スポット状の照光をさせる部材である。バーンドア３４は、開口部３３の上下左右に取り付けられる４枚の板状部材である。バーンドア３４の取り付け角度を変更して、４枚のバーンドア３４により画成される開口の径を変化させることで、トップライト３０から出射される光の方向性を制御することができる。本実施形態のバーンドア３４は、光源３１からの光が、撮影位置１０、メインライト２０、トップライト３０、及び背景７０の方向へ出射されるのを防いで、人物２００の上方に光を向けることができる。
【００２７】
＜バックライト＞
バックライト４０は、背景７０に向けて光を照射する投光器である。上述の通り、バックライト４０は、メインライト２０よりも光量が少ないものとなっている。バックライト４０は、メインライト２０と同様に定常光発光ユニットと瞬間光発光ユニットとを有する光源４１を有している。そして、バックライト４０は、撮影者によるカメラ１１のシャッター動作に併せて、メインライト２０と同時に発光するように制御される。
【００２８】
バックライト４０は、トップライト３０と同様にシェード４２を有し、シェード４２の内部に光源４１が設けられている。また、シェード４２は、一面に光源４１からの光が出射される開口部４３が設けられている。バックライト４０は、開口部４３を通じて、光源４１からの光を出射する。
【００２９】
バックライト４０は、トップライト３０と同様に、開口部４３の周囲にバーンドア４４を有している。本実施形態のバーンドア４４は、光源４１からの光が、撮影位置１０、メインライト２０、トップライト３０、及び人物２００の方向へ出射されるのを防いで、背景７０に光を向けることができる。
【００３０】
＜レフ板＞
第一レフ板５０は、メインライト２０から発せれられた光を、人物２００の側面部に向けて反射する反射部材である。また、第二レフ板６０は、メインライト２０から発せれられた光を、人物２００の前面部に向けて反射する反射部材である。なお、第一レフ板５０は、メインライト２０が光を照射する人物２００の一側面部とは反対側となる、他側面部に向けて光を反射する。
【００３１】
第一レフ板５０及び第二レフ板６０は、光の反射率が比較的に高い、白色、銀色、金色等の色を有する板状又は布状の部材である。本実施形態の第一レフ板５０は、白色の板状部材であるレフ板５１とレフ板５２とからなる。レフ板５１とレフ板５２とは、レフ板５１とレフ板５２とがなす角度を変更できるように、屏風状に互いに辺を接して可動可能に接合されている。そして、第一レフ板５０は、レフ板５１とレフ板５２とが、「く」の字状の角度を有するようにして自立している。第二レフ板６０も、第一レフ板５０と同様に、白色の板状部材であるレフ板６１とレフ板６２とからなり、自立している。
【００３２】
＜背景＞
背景７０は、人物２００の奥側に配置されている。背景７０は、人物２００と共に撮影されて、写真の背景となる。背景７０は、シート状のスクリーンが巻き取られたロールスクリーンであって、撮影時にはスクリーンが引き出されて、人物２００の背後に展開される。背景７０は、撮影目的に合わせた所望の色を有するものである。背景７０の色は特に限定されないが、例えば、白、赤、緑、青、紫、濃紺、黒等が挙げられる。背景７０は、無地であってもよく、柄、模様等を有するものであってもよい。なお、背景７０は、ロールスクリーンに限定されず、例えば平板状の部材であってもよく、予め伸張されている平幕状の部材であってもよい。
【００３３】
［２．配置］
次に、各構成要素の配置について説明する。
撮影システム１００では、メインライト２０及びトップライト３０から出射される光、並びに第一レフ板５０及び第二レフ板６０からの反射光が人物２００に照射する各照射場所で照度が異なるようにして、各構成要素が配置されている。
【００３４】
なお、図１に示すように、撮影位置１０と人物２００とを結ぶ線を、中心線Ａとする。人物２００の位置で中心線Ａと直交する線を、仮想線Ｂとする。仮想線Ｂと平行であって、且つ人物２００の奥側に位置し、メインライト２０の支柱（図示略）の位置を通過する線を、仮想線Ｃとする。メインライト２０からの光の出射方向を表す線を、光軸Ｄとする。トップライト３０からの光の出射方向を表す線を、光軸Ｅとする。バックライト４０からの光の出射方向を表す線を、光軸Ｆとする。撮影位置１０と、人物２００の頭部２１０における右頬２１２とを結ぶ線を、仮想線Ｇとする。
【００３５】
＜被写体の配置＞
本実施形態では、人物２００は着座した状態で撮影される。この状態は、座り身半身とも称される。人物２００の頭部２１０の向き、すなわち顔面の向きは、鼻２１１の向く方向で表される。人物２００は、頭部２１０を、撮影位置１０に対して正面（０度）から時計回りに４５度回転させた方向に向けている。これにより、頭部２１０は第二レフ板６０に向いている。このとき、人物２００の右頬２１２はメインライト２０に、又はメインライト２０から背景７０の間の方向に向いている。また、人物２００の左頬２１３は前面側、すなわち撮影位置１０に向いている。さらに、人物２００は、胴体２２０を、撮影位置１０に対して正面から時計回りに１２０度回転させた方向に向けている。これにより、胴体２２０は、メインライト２０に向いている。また、人物２００の背中２２１は側面側に、人物２００の右肩２２２は背面側に、人物２００の左肩２２３は前面側に向いている。そして、頭部２１０は胴体２２０に対して、反時計回りに７５度回転させた位置関係となっている。さらに、頭部２１０は、鼻２１１が仮想線Ｇよりもカメラ１１に近い側に位置する向きとなっている。そして、撮影位置１０から見た場合に、鼻２１１の輪郭が、右頬２１２の輪郭よりも内側（図１中で右側）に入っている。このような人物２００の姿勢で撮影を行うことによって、撮影位置１０から見た場合に人物２００のフォルムの均整がとれたものとなり、撮影位置１０で撮影された写真を看取する者が受ける美感を増強することができる。なお、本実施形態では、人物２００の胴体２２０の横幅は４０ｃｍである。
【００３６】
＜メインライトの配置＞
メインライト２０は、撮影位置１０に対して人物２００を挟んで斜め奥側の位置に配置される。さらに、メインライト２０は、光軸Ｄが、撮影位置１０を向く方向に配置される。より具体的には、撮影位置１０を中心として中心線Ａの撮影位置１０から人物２００に向いた方向を１２時の方向とした場合、メインライト２０は１１時の方向に配置される。すなわち、メインライト２０は、撮影位置１０に対して人物２００を挟んで斜め左奥側の位置に配置される。また、人物２００を中心として撮影位置１０を６時の方向とした場合、メインライト２０は１０時の方向に配置される。また、頭部２１０の鼻２１１の方向を正面とした場合、時計回りに７５度回転させた位置に、メインライト２０が配置される。すなわち、メインライト２０は、頭部２１０の右斜め前方に配置される。本実施形態では、仮想線Ｂと仮想線Ｃとの間の長さＬ1は、５０ｃｍである。すなわち、メインライト２０は、人物２００の位置に対して５０ｃｍ奥側に配置されている。また、メインライト２０と人物２００との間の長さＬ2は、８０ｃｍである。なお、本明細書において、長さＬ2は、メインライト２０の光源２１と、被写体の側面部とを結んだ線分のうち、ディフューザー２４により区画される出射部２３の端部から、被写体の一側面部までの長さをいう。本実施形態では、被写体の一側面部とは、人物２００の右頬２１２である。
【００３７】
ここで、メインライト２０は、出射部２３の幅が１２０ｃｍである。メインライト２０は、人物２００の幅よりも大きい面光源となっている。さらに、メインライト２０は、メインライト２０と人物２００との間の長さＬ2が、出射部２３の幅の長さよりも小さくなるよう配置される。
【００３８】
メインライト２０の光源２１は、人物２００の鼻２１１の位置と同程度の高さの位置であるか、やや高い位置に配置される。具体的には、メインライト２０は、出射部２３の上端部及び中心部の位置が、鼻２１１の位置よりも高い位置であって、且つ下端部の位置が、鼻２１１の位置よりも低い位置となる高さに配置される。
【００３９】
＜トップライトの配置＞
トップライト３０は、人物２００の斜め上方の位置であり、中心線Ａを挟んで、メインライト２０に対して反対側の位置に配置される。すなわち、トップライト３０は、撮影位置１０に対して人物２００を挟んで斜め右奥側の位置に配置される。さらに、トップライト３０は、光軸Ｅが、頭部２１０の後頭部を向く方向に配置される。また、トップライト３０は、頭部２１０に対して、上方から４５度下側に向く位置に配置される。本実施形態では、トップライト３０と頭部２１０との間の長さＬ3は、８０ｃｍである。なお、本明細書において、長さＬ3は、トップライト３０のバーンドア３４によって画成される開口端と、被写体の上部との間の長さをいう。本実施形態では、被写体の上部とは、人物２００の後頭部である。バーンドア３４は、２０ｃｍ角に開くように調節されている。
【００４０】
＜バックライトの配置＞
バックライト４０は、撮影位置１０に対してメインライト２０よりも奥側であり、背景７０の手前側の位置に配置される。ここでは、バックライト４０は、撮影位置１０に対して人物２００を挟んで斜め左奥側の位置に配置される。さらに、バックライト４０は、光軸Ｆが、中心線Ａと背景７０とが交差する位置を向く方向に配置される。バックライト４０は、被写体の高さと略同程度の高さに配置される。バックライト４０の光源４１は、人物２００の腰の位置と同程度の高さの位置であるか、やや低い位置に配置される。本実施形態では、バックライト４０の光源４１は、床から５０ｃｍの高さに配置される。バーンドア４４は、２０ｃｍ角に開くように調節されている。
【００４１】
＜第一レフ板の配置＞
第一レフ板５０は、人物２００に対してメインライト２０との反対側の位置に配置される。また、第一レフ板５０は、第一レフ板５０と人物との間の長さＬ4と、メインライト２０と人物との間の長さＬ2とが、略同程度であるか、又は長さＬ4がやや長くなる位置に配置される。さらに、第一レフ板５０は、メインライト２０からの光を反射した反射光を、人物２００に照射する向きに配置される。具体的には、レフ板５１が背中２２１に向けて、レフ板５２が左肩２２３に向けて、それぞれ反射光を照射する向きに配置される。本実施形態では、第一レフ板５０と人物２００との間の長さＬ4は、９０ｃｍである。なお、本明細書において、長さＬ4は、第一レフ板５０の中心と、被写体において、メインライト２０からの光があたる一側面部とは反対側の他側面部との間の長さをいう。本実施形態では、被写体の他側面部とは、人物２００の背中２２１である。また、第一レフ板５０は、人物２００よりも手前側に配置されている。これにより、第一レフ板５０からの反射光を、被写体の手前側に向けることができる。
【００４２】
＜第二レフ板の配置＞
第二レフ板６０は、メインライト２０から撮影位置１０へ照射される直接光を遮る位置に配置される。また、第二レフ板６０は、第二レフ板６０と人物との間の長さＬ5と、メインライト２０と人物との間の長さＬ2とが、略同程度であるか、又は長さＬ5がやや長くなる位置に配置される。さらに、第二レフ板６０は、メインライト２０からの光を反射した反射光を人物２００に照射する向きに配置される。具体的には、レフ板６１が鼻２１１及び右頬２１２に向けて、レフ板６２が鼻２１１及び左頬２１３に向けて、それぞれ反射光を照射する向きに配置される。本実施形態では、第二レフ板６０と人物２００との間の長さＬ5は、９０ｃｍである。なお、本明細書において、長さＬ5は、第二レフ板６０の中心と、被写体において、メインライト２０からの光があたる一側面部と前面部との中間部位との間の長さをいう。本実施形態では、被写体の中間部位とは、人物２００の鼻２１１である。また、第二レフ板６０は、人物２００よりも手前側に配置されている。これにより、第二レフ板６０からの反射光を、被写体の手前側に向けることができる。
【００４３】
＜背景の配置＞
背景７０は、人物２００、並びにメインライト２０、トップライト３０、及びバックライト４０よりも奥側に配置されている。本実施形態では、背景７０と人物２００との間の長さＬ6は、２１０ｃｍである。なお、被写体として、人の立全身を撮影する場合には、背景７０と人物２００との間の長さは、座り身半身の場合よりも短くなる。例えば、この長さは１８０ｃｍである。
【００４４】
［２．撮影方法］
図２に示すフローチャートを参照して、撮影システム１００を用いた撮影方法について説明する。なお、この撮影方法は、人が実施してもよく、配置及び撮影を行う装置を用いて実施してもよい。また、この装置はＡＩ（Artificial Intelligence；人工知能）を備え、ＡＩ制御により自動的に動作するものであってもよい。
【００４５】
まず、被写体として人物２００が撮影される位置（被写体位置）を決定する（ステップＳ１０１）。このステップＳ１０１は、後述する各ステップでの各構成要素の位置を設定するために、基準となる被写体の位置を決定するものである。被写体位置を決定すると共に、被写体位置に被写体を配置してもよい。
【００４６】
次に、撮影位置１０を決定する（ステップＳ１０２）。撮影は、被写体及び撮影の目的に合わせて、所望の焦点距離を有するカメラ１１を用いて行われる。そして、そのカメラ１１を用いた際に、所定の画角となる位置を撮影位置１０とする。本実施形態では、被写体位置と撮影位置１０との間の長さは、２００ｃｍである。
【００４７】
続いて、被写体位置及び撮影位置１０に合わせて、上述した位置及び向きに、撮影システム１００の各構成要素の配置を行う。
まず、メインライト２０を配置する（ステップＳ１０３）。メインライト２０のストロボ発光時に、被写体位置からメインライト２０に向けて測光した場合の絞り値（Ｆ）が、Ｆ５．６・１／２（Ｆ５．６とＦ４とを併せた値）となるようにメインライト２０の位置を調整する。なお、本明細書案において絞り値（Ｆ）とは、露光計を用いて、ＩＳＯを２５０、シャッター速度を１／１２５秒に設定して測定した値をいう。
【００４８】
さらに、トップライト３０を配置する（ステップＳ１０４）。トップライト３０のストロボ発光時に、被写体位置、中でも人物２００の上部からトップライト３０に向けて測光した場合の絞り値（Ｆ）が、Ｆ５．６となるように、トップライト３０の位置を調整する。
【００４９】
また、バックライト４０を配置する（ステップＳ１０５）。バックライト４０のストロボ発光時に、中心線Ａと背景７０とが交差する位置からバックライト４０に向けて測光した場合の絞り値（Ｆ）が、Ｆ５．６となるように、バックライト４０の位置を調整する。
【００５０】
またさらに、第一レフ板５０を配置し（ステップＳ１０６）、第二レフ板６０を配置する（ステップＳ１０７）。メインライト２０のストロボ発光時に、被写体位置からメインライト２０に向けて測光した場合の絞り値（Ｆ）が、Ｆ８となるように、第一レフ板５０及び第二レフ板６０の位置を調整する。
【００５１】
撮影システム１００の各構成要素を配置した後に、被写体位置に被写体を配置して、被写体の向きや姿勢を調整する（ステップＳ１０８）。ここでは、上述したように、被写体位置に人物２００を着座させる。さらに、頭部２１０及び胴体２２０が、所定の向きとなるように調整する。
【００５２】
そして、カメラ１１により人物２００及び背景７０を撮影する（ステップＳ１０９）。なお、本実施形態では、露出が１／１２５秒，Ｆ８であり、レンズの焦点距離が７０ｍｍ、開放下値がＦ２．８である条件で撮影する。カメラ１１は、人物２００のおでこの高さに構えて、フォーカスを人物のカメラ１１側に近い目、すなわち左目にあわせて撮影する。本方法により撮影した、着物を着た女性の座り身半身の写真を図３に示す。なお、図３は、撮影により得られた写真のカラー画像を、白黒（グレースケール）画像として表示したものである。
【００５３】
上記説明では、ステップＳ１０３〜Ｓ１０７において、メインライト２０、トップライト３０、バックライト４０、第一レフ板５０、及び第二レフ板６０を、この順で配置する場合を例に挙げて説明したが、配置の順序はこれに限定されず、適宜入れ替えてもよい。ただし、メインライト２０からの光量と、第一レフ板５０及び第二レフ板６０からの光量とのバランスをとる観点からは、メインライト２０を配置して絞り値を確認した後に、第一レフ板５０及び第二レフ板６０を配置して絞り値を確認することが好ましい。
【００５４】
［３．作用及び効果］
本実施形態に係る撮影システム１００、及び撮影システム１００を用いた撮影方法は、上述のように構成されるため、以下のような作用及び効果を得ることができる。
【００５５】
［１］撮影システム１００では、メインライト２０と、メインライト２０よりも光量が少ないトップライト３０を用いて被写体にそれぞれからの光を照射するとともに、第一レフ板５０及び第二レフ板６０を用いて被写体にメインライト２０からの反射光を反射する。そして、被写体の各照射場所で、照度が異なっている。このように、最も光量が大きいメインライト２０によって、人物２００の側面部を照らすと共に、反対側の側面部に影を落とすことができる。また、トップライト３０で人物２００の上部が照らされて、第一レフ板５０及び第二レフ板６０でメインライト２０が照らす側とは逆側の側面と前面とが照らされる。これにより、メインライト２０からの光が当たらずに影が生じる部位の全体を暗くしておくのではなく、光のあたった箇所をハイライトした写真を撮影することができる。このように、複数のライトとレフ板とを組み合わせて被写体に多方向から光をあてることで、被写体に生じた光と影によって明部と暗部とのコントラストが生み出された、絵画調で立体的な写真を撮影することができる。さらに、バックライト４０が背景７０に光を照射している。これにより、バックライト４０によって照らされた背景７０に被写体が浮かび上がることで、奥行き感のある写真を撮影することができる。またさらに、撮影システム１００では、それぞれ被写体に対する光量が異なる所定の複数の機材を用いて、被写体に対して予め定められた方向からそれぞれ光をあてるようにして撮影を行う。このため、撮影者個人の技能に頼らずに、品質の安定した写真を反復的に撮影することができる。したがって、例えば、撮影者が変わった場合や、撮影者が常時とは異なる撮影スタジオで撮影するような場合であっても、同様のクオリティを有する写真を撮影することができる。
【００５６】
［２］撮影システム１００では、メインライト２０が、撮影位置１０に対して被写体を挟んで斜め奥側の位置に配置されている。これにより、被写体において、メインライト２０に近い側の側面側と、背面側とをメインライト２０によって照らし、メインライト２０によって照らされる側面側とは反対の側面側と、被写体の手前側とに影を落とすことができる。したがって、被写体の手前側に大きく影が生じた重厚な写真を撮影することができる。また、トップライト３０は、被写体の斜め上方であって、メインライト２０とは反対側の位置に配置されることで、メインライト２０からの光の照射によって影となる部位に光をあてて強調することができる。中でも、被写体が人物２００である場合には、頭髪に光を照射することで、頭髪が光を反射して輝いているような写真を撮影することができる。また、バックライト４０は、中心線Ａと背景７０とが交差する位置を向く方向に配置されている。これにより、被写体を中心とした周囲の背景７０が明るく照らし出されて、その前方に被写体が位置することで、引き締まった印象を与える写真を撮影することができる。また、第一レフ板５０が、被写体に対してメインライト２０との反対側の位置であり、被写体までの長さがメインライト２０と略同程度となる位置に配置されている。これにより、第一レフ板５０によって被写体に反射される反射光の光量が十分なものとなって、メインライト２０からの光によって影が生じる部分に反射光を当てた箇所を、際立たせることができる。また、第二レフ板６０が、メインライト２０から撮影位置１０へ照射される直接光を遮る位置に配置される。これにより、メインライト２０からの光がカメラ１１に直接入射することで、被写体の露出が足りずに暗く撮影されてしまう事態を避けることができる。このように、被写体の奥側に配置された三点のライトと、被写体の手前側に配置された二点のレフ板とによる上述した作用及び効果が組み合わさることで、絵画調で立体的な写真をより高品質に撮影することができる。
【００５７】
［３］メインライト２０は、出射部２３の幅が被写体の幅よりも大きい面光源である。さらに、メインライト２０を、メインライト２０と被写体との間の長さが、出射部２３の幅の長さよりも小さくなるよう配置している。これにより、面光源であるメインライト２０による柔らかい光を被写体に照射することで、被写体にコントラストの低い影を落とすことができる。このような面光源による影は、被写体に生じる影を強調したくない場合に有効である。例えば、被写体が人物の場合には、肌の凹凸が目立たなくなり肌面を綺麗に撮ることができるため、好適に用いられる。
【００５８】
［４］メインライト２０は、ディフューザー２４を有し、メインライト２０からの光が、ディフューザー２４を介して照射される拡散光となっている。これにより、メインライト２０からの拡散光による柔らかい光を被写体に照射することで、被写体にコントラストの低い影を落とすことができる。このような拡散光による影も、被写体に生じる影を強調したくない場合に有効である。
【００５９】
［５］トップライト３０は、被写体の上方に光を向けるバーンドア３４を有している。これにより、トップライト３０からの光の方向性を制御して、被写体の上方に集中的に光を向けることで、被写体の上方以外にトップライト３０からの光があたることを防ぐことができる。したがって、メインライト２０による光が当たらない部位において、トップライト３０からの光がピンポイントに照射されることによって、明暗のメリハリのついた写真を撮影することができる。
【００６０】
［６］バックライト４０は、背景７０に光を向けるバーンドア４４を有している。これにより、バックライト４０からの光の方向性を制御して、バックライト４０からメインライト２０及び被写体の方向に向けて光が出射されることを防ぐことができる。したがって、メインライト２０からの光、及び第一レフ板５０及び第二レフ板６０からの反射光による光量の制御を適切に行うことができる。
【００６１】
［７］さらに、撮影システム１００は、被写体が人物２００であって、人物２００の身体がメインライト２０に向いており、頭部２１０が第二レフ板６０に向いている。さらに、メインライト２０が、頭部２１０の斜め前方且つ上方から光を照射して、レンブラントライティングになるように配置される。これにより、頭部２１０の顔面において、鼻２１１を挟んでメインライト２０の反対側に影ができるとともに逆三角形の光によるハイライトが生じる。したがって、顔面の立体感と陰影を強調した写真を撮ることができる。特には、メインライト２０が撮影位置１０に対して人物２００を挟んで斜め奥側の位置にある場合には、撮影位置１０から遠い右頬２１２が明るくなり、一方で撮影位置１０から近い左頬２１３に影ができるとともに逆三角形のハイライトが生じる。このようないわゆるショートレンブラントとなる場合には、撮影位置１０から見た影の面積が大きくなりながら、影の中にハイライトを印象的に生じさせることができる。さらに、撮影システム１００では、撮影位置１０から見て影が生じる頭部２１０の髪の毛に対して、トップライト３０によって光を照射することができる。したがって、髪の毛が暗くなって背景７０の暗い部分に溶け込むことを防ぎ、背景７０から分離して見栄えを良くすることができる。また、撮影位置１０から見て影が生じる左頬２１３、背中２２１、及び左肩２２３に対して、第一レフ板５０及び第二レフ板６０によって反射光を照射することができる。したがって、左頬２１３に右頬２１２とは明るさが異なるように光があてられることで、顔面に明るさの階調を生じさせることができる。また、背中２２１及び左肩２２３が、メインライト２０からの光によって生じる影に沈みこんでしまうことないように、強調することができる。よって、人物２００に生じる光の明るさが変化すると共に、光が影と複雑に組み合わさることで、より格調高い写真を撮影することができる。
【００６２】
［４．その他］
上記説明では、中心線Ａに対して、撮影位置１０から見てメインライト２０を左側に配置して、人物２００が撮影位置１０から見て左側を向いている場合を例に挙げて説明した。撮影システム１００の構成及び人物２００の向きはこれに限定されず、左右を逆にしてもよい。例えば、中心線Ａに対して、撮影位置１０から見てメインライト２０を右側に配置して、人物２００が撮影位置１０から見て右側を向いている状態で撮影を行ってもよい。なお、被写体が着物を着た女性の場合には、着物の模様が左肩から左腕にかけて配されることが多いため、実施形態で挙げた構成及び向きが好ましい。
【００６３】
上記説明では、メインライト２０がディフューザー２４を有し、拡散光を照射する場合を例に挙げて説明した。メインライト２０の光は、被写体に応じて適宜変更することができ、メインライト２０にディフューザー２４を用いずに、光源２１から出射される光を直接に放射することで、被写体に硬い光である光沢性のある光を照射してもよい。この場合、被写体の表面に濃い影を生じさせることで、表面の凹凸を際立たせて、表面の状態を再現した写真を撮影することができる。
【符号の説明】
【００６４】
１０  撮影位置
１１  カメラ
２０  メインライト
２３  ディフューザー
２４  出射部
３０  トップライト
３４  バーンドア
４０  バックライト
４４  バーンドア
５０  第一レフ板
６０  第二レフ板
７０  背景
１００  撮影システム
２００  人物
Ａ  中心線
【図１】
2019139119.tif 000003
【図２】
2019139119.tif 000004
【図３】
2019139119.tif 000005